(57)【要約】【課題】  耐落下衝撃性能を更に向上させると共に、良好な筆記性の性能と、インキの終了サインを正確に検知することのできるマーカー、ボールペン、筆ペン等の中綿式の筆記具に関する。【解決手段】  後軸２０内のインキ吸蔵体１０に含浸されたインキを検知管４０を介してペン芯６０に供給すると共に、インキ吸蔵体１０からのインキ終了サインを視認性を有する先軸３０を介して上記検知管４０を視認することにより検知する筆記具であって、上記衝撃吸収手段がペン芯６０の先端部に配置した衝撃吸収Ｏリング７１と、検知管４０の先端面に形成したＯリング接触部４４と、先軸３０の先端側に形成したＯリング受け部３４とを有し、検知管４０を先軸３０の挿入した際に上記衝撃吸収Ｏリング７１はＯリング接触部４４とＯリング受け部３４とにより保持されると共に、検知管４０の先端面と先軸３０との間に衝撃吸収空間を有することを特徴とする筆記具Ａ。【選択図】  図１
2007021842.tif 000002
【特許請求の範囲】
【請求項１】
インキ吸蔵体を収容する有底筒状の後軸と、該後軸の開口部に取り付けられる視認性を有する先軸と、該先軸に挿入される視認性を有する検知管と、該検知管に支持されてインキ吸蔵体に接触する中継芯と、上記検知管に支持されて中継芯との間に隙間をおいて対向し、先軸から露出するペン芯と、少なくとも検知管に作用する衝撃を吸収する衝撃吸収手段とを有し、後軸内のインキ吸蔵体に含浸されたインキを検知管を介してペン芯に供給すると共に、インキ吸蔵体からのインキ終了サインを視認性を有する先軸を介して上記検知管を視認することにより検知する筆記具であって、上記衝撃吸収手段がペン芯の先端部に配置した衝撃吸収Ｏリングと、検知管の先端面に形成したＯリング接触部と、先軸の先端側に形成したＯリング受け部とを有し、検知管を先軸に挿入した際に上記衝撃吸収ＯリングはＯリング接触部とＯリング受け部とにより保持されると共に、検知管の先端面と先軸との間に衝撃吸収空間を有することを特徴とする筆記具。
【請求項２】
衝撃吸収ＯリングのＪＩＳ  Ａ硬度が５０〜９０°である請求項１記載の筆記具。
【請求項３】
衝撃吸収ＯリングのＪＩＳ  Ａ硬度は、キャップ部材を含む筆記具の重量が２０ｇ未満の場合は、５０〜９０°であり、２０ｇ以上３０ｇ未満の場合は、７０〜９０°である請求項１又は２記載の筆記具。
【請求項４】
衝撃吸収空間の長手方向の長さが少なくとも０．１ｍｍ以上である請求項１〜３の何れか一つに記載の筆記具。
【請求項５】
衝撃吸収空間の長手方向の長さは、キャップ部材を含む筆記具の重量が２０ｇ未満の場合は、０．１ｍｍ以上であり、２０ｇ以上３０ｇ未満の場合は、０．２ｍｍ以上である請求項１〜４の何れか一つに記載の筆記具。
【発明の詳細な説明】
【技術分野】
【０００１】
本発明は、インキの終了サインを簡単に検知することのできるマーカー、ボールペン、筆ペン等の中綿式の筆記具に関し、耐落下衝撃性能を更に向上させて良好な筆記性能を発揮せしめる筆記具に関する。
【背景技術】
【０００２】
筆記具には様々なタイプがあり、その一つとしてインキの残量や終了サイン（終了状態）を検知できるタイプが知られている。このタイプの筆記具としては、例えば、後軸内に液状のインキが直接充填されるコレクター構造の直液筆記具、カートリッジ式のインキ収容管にインキが充填される筆記具、透明のリフィールにボールペン用のインキが充填されるボールペン等が知られている。
【０００３】
最近、インキ吸蔵体から筆記部であるペン芯に水性インキや油性インキ等のインキが供給される所謂中綿式の筆記具において、インキの終了サインを検知できるタイプの筆記具が知られている。
この筆記具は、図４に示すように、後軸１内のインキ吸蔵体２に含浸されたインキをインキ誘導管となる検知管３を介して筆記部となるペン芯４に供給すると共に、インキ吸蔵体２からのインキ終了サインを視認性を有する先軸５を介して上記検知管３を視認することにより検知する構造のものであり、また、この構造の筆記具ａには、ペン芯４の先端部に気密性を確保するためにＯリング６と、後軸１内のインキ吸蔵体受け７の開口周縁部にスライド可能に摺接されるテーパ形の傾斜段差面８ａからなる衝撃吸収手段８を有するものである（本出願人による、例えば、特許文献１参照）。
【０００４】
このインキの終了サインを簡単に検知する筆記具ａは、今までにない優れたインキ終了サインの検知性、筆記性を有する筆記具であるが、キャップ９を下向きに落下させた場合の衝撃でペン芯４が微小抜けを起こすと検知管３内に気泡が混入することがある。この気泡は経時的に成長し、いずれ検知管３内のインキが未筆記でも切れてしまうという課題が生じることとなる。この課題に対して、上記構造の筆記具ａでは、テーパ形の傾斜段差面８ａなどからなる衝撃吸収手段８により落下衝撃を緩和しているが、ペン芯を太字とした場合等に筆記具の重量が重い場合、キャップ下向きでの落下における衝撃力が高くなるため、ペン芯４の抜けを抑えきれないことがあり、その結果検知管３内のインキが未筆記でも切れてしまうという課題が生じることとなる。
また、上記構造の筆記具ａにおけるＯリング６は、単に気密性を確保するために使用されているものであり、筆記具の重量が重い場合には、落下衝撃に対して不充分であり、その結果検知管３内のインキが未筆記でも切れてしまうという課題があるのが現状である。
【特許文献１】ＷＯ２００５／０２３５５９Ａ１公報（特許請求の範囲、実施例等）
【発明の開示】
【発明が解決しようとする課題】
【０００５】
本発明は、上記従来の技術の課題等について、これを解消するためになされたものであり、ペン芯を太字とした場合等による筆記具の重量を重くした場合においてもペン芯下向き落下等による衝撃力を緩和し、ペン芯抜けによる検知管への気泡の混入、筆記不良を防止して、インキの終了サインを簡単に検知することができると共に、優れた筆記性能を発揮せしめる筆記具を提供することを目的とする。
【課題を解決するための手段】
【０００６】
本発明者らは、上記従来の課題について鋭意検討した結果、後軸内のインキ吸蔵体に含浸されたインキをインキ誘導管となる検知管を介して筆記部となるペン芯に供給すると共に、インキ吸蔵体からのインキ終了サインを視認性を有する先軸を介して上記検知管を視認することにより検知する構造の筆記具において、衝撃吸収手段をＯリングを衝撃吸収リングとすると共に、該Ｏリングを保持する検知管の先端面の構造及び先軸の先端側の構造等を特定構造とすることにより、上記目的の筆記具が得られることを見い出し、本発明を完成するに至ったのである。
【０００７】
すなわち、本発明は、次の（１）〜（５）に存する。
（１）  インキ吸蔵体を収容する有底筒状の後軸と、該後軸の開口部に取り付けられる視認性を有する先軸と、該先軸に挿入される視認性を有する検知管と、該検知管に支持されてインキ吸蔵体に接触する中継芯と、上記検知管に支持されて中継芯との間に隙間をおいて対向し、先軸から露出するペン芯と、少なくとも検知管に作用する衝撃を吸収する衝撃吸収手段とを有し、後軸内のインキ吸蔵体に含浸されたインキを検知管を介してペン芯に供給すると共に、インキ吸蔵体からのインキ終了サインを視認性を有する先軸を介して上記検知管を視認することにより検知する筆記具であって、上記衝撃吸収手段がペン芯の先端部に配置した衝撃吸収Ｏリングと、検知管の先端面に形成したＯリング接触部と、先軸の先端側に形成したＯリング受け部とを有し、検知管を先軸に挿入した際に上記衝撃吸収ＯリングはＯリング接触部とＯリング受け部とにより保持されると共に、検知管の先端面と先軸との間に衝撃吸収空間を有することを特徴とする筆記具。
（２）  衝撃吸収ＯリングのＪＩＳ  Ａ硬度が５０〜９０°である上記(1)記載の筆記具。
（３）  衝撃吸収ＯリングのＪＩＳ  Ａ硬度は、キャップ部材を含む筆記具の重量が２０ｇ未満の場合は、５０〜９０°であり、２０ｇ以上３０ｇ未満の場合は、７０〜９０°である上記(1)又は(2)記載の筆記具。
（４）  衝撃吸収空間の長手方向の長さが少なくとも０．１ｍｍ以上である上記(1)〜(3)の何れか一つに記載の筆記具。
（５）  衝撃吸収空間の長手方向の長さは、キャップ部材を含む筆記具の重量が２０ｇ未満の場合は、０．１ｍｍ以上であり、２０ｇ以上３０ｇ未満の場合は、０．２ｍｍ以上である上記(1)〜(4)の何れか一つに記載の筆記具。
【発明の効果】
【０００８】
本発明によれば、ペン芯を太字とした場合等により筆記具の重量が重くなった場合等においてもペン芯を下向き落下に対してもその落下衝撃力を緩和し、ペン芯抜けによる検知管への気泡の混入、筆記不良を防止することができるので、インキの終了サインを正確に検知することができると共に、優れた筆記性能を発揮せしめる筆記具が提供される。
【発明を実施するための最良の形態】
【０００９】
以下に、本発明の筆記具の実施形態を図面を参照して説明する。
本実施形態における筆記具Ａは、マーカー等の中綿式の筆記具として利用されるものであり、図１〜図３に示すように、インキ吸蔵体１０を収容する有底筒状の後軸２０と、該後軸２０の開口部２０ａに取り付けられる視認性を有する先軸３０と、該先軸３０に挿入される視認性を有する検知管４０と、該検知管４０に支持されてインキ吸蔵体１０に接触する中継芯５０と、上記検知管４０に支持されて中継芯５０との間に隙間をおいて対向し、先軸３０から露出するペン芯６０と、少なくとも検知管４０に作用する衝撃を吸収する衝撃吸収手段７０とを有している。なお、８０は先軸３０に着脱自在に取り付けられるキャップ部材である。
【００１０】
後軸２０は、図１に示すように、例えば、ＰＰ等からなる合成樹脂を使用して長い有底円筒形に成形され、筆記具の本体（軸筒）として機能する。この後軸１０は、凹凸形状の尾栓部２１を一体に有する不透明又は透明に成形されるが、外観上や実用上の観点からいずれを採用しても良い。
【００１１】
インキ吸蔵体１０は、図１に示すように、所定の材料を使用して円柱形に形成され、水性インキや油性インキ等からなる筆記用のインキが含浸される。この中綿であるインキ吸蔵体１０は、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ＰＰ系樹脂、ポリエーテル系樹脂、ポリフェニレン系樹脂、フェルト等の繊維を使用して束体に形成される。またこれ以外にも、スポンジ、樹脂粒子、焼結体の多孔体を使用して形成することができる。なお、更に、これらから構成されるインキ吸蔵体１０の外周を樹脂フィルムなどで被覆してもよいものである。
このインキ吸蔵体１０は、その毛細管力の分布がペン芯６０側に向かうほど大きくなることが好ましい。
【００１２】
インキ吸蔵体１０に含浸せしめるインキとしては、一般に用いられている各配合組成となる水性インキ、油性インキなどの筆記具用インキであれば、特に限定されず、サインペン用、マーキングペン用、ボールペン用、ホワイトボード用など用途に応じた水性又は油性の液状インキが挙げられる。
このインキは、その終了サインを良好に検知するため、好ましくは、表面張力が２５℃以下で１８ｍＮ／ｍ以上、更に、好ましくは２５℃以下で２０〜５０ｍＮ／ｍ以上に設定されることが望ましい。このインキの表面張力は、インキの組成に界面活性剤等を必要に応じて配合することにより調整される。
【００１３】
インキの粘度係数は、ペン芯６０に対する円滑な供給を確保するため、好ましくは、２５℃以下で５００ｍＰａ・ｓ以下、更に好ましくは２００ｍＰａ・ｓ以下、特に好ましくは、１〜１００ｍＰａ・ｓ以下に設定されることが望ましい。これは、インキの粘度係数が５００ｍＰａ・ｓを超える場合には、インキの流出量を十分に確保することができなくなることがあり、流量不足に伴いかすれ等を招くおそれがあるからである。このインキの粘度係数は、インキ組成物に増粘剤等を必要に応じて配合することにより調整される。
【００１４】
また、後軸２０内にはインキ吸蔵体１０を保持すると共に、中継芯４０の後端部を保持する保持部材２５を有している。この保持部材２５は、図１に示すように、例えば、円筒形状のインキ吸蔵体１０を保持するインキ吸蔵体保持部２６と、中継芯４０の後端部を保持する中継芯保持部２７とから構成され、例えば、ＰＰ等の合成樹脂を使用して成形される。このような構造の保持部材２５は、後軸２０の開口部からその内部に隙間を介してスライド可能に嵌入され、インキ吸蔵体１０の先端側端部に対向した状態で嵌合接触する。
【００１５】
先軸３０は、視認性（透明又は半透明）を有する材料から構成されるものであり、先端側が小径部３１となり、後端側が傾斜部３２を介して大径部３３となる構成であり、該小径部３１内にはペン先となるペン芯６０を嵌着する嵌着部となると共に、大径部３３内は保持部材２５の前方の中継芯保持部２７を収容する構造となっている。
【００１６】
この視認性を有する先軸３０としては、視認性（透明又は半透明）を有するもの、光線透過率３０〜１００％、好ましくは５０〜１００％、より好ましくは８０％以上であればよく、例えば、ポリプロピレン（ＰＰ）、ポリエチレン（ＰＥ）、環状ポリオレフィン、ポリ（１−メチル−４−ペンテン）などのポリオレフィン系樹脂、ポリカーボネート（ＰＣ）、ポリスチレン、ポリエチレンテレフタレート（ＰＥＴ）、ポリエチレンナフタレート（ＰＥＮ）やポリブチレンテレフタレート（ＰＢＴ）、ポリアミド、並びに、フッ素樹脂、フッ化ビニリデンなどのフッ素プラスチックなどの光学特性を有する合成樹脂などを用いることができる。
【００１７】
また、先軸３０には、その小径部３１の外周に、ペン芯保護用のキャップ部材８０が着脱自在に嵌合され、中央部付近の外周面には半径外方向に張り出すリング形の位置決めフランジ３４が突設されており、この位置決めフランジ３４が後軸２０の開口周縁部に位置決め接触する構成となっている。
【００１８】
検知管４０は、図１に示すように、視認性を有する円筒形状に成形され、保持部材２５の中継芯保持部２７の先端部と先軸３０の小径部３１に嵌入支持される構成となっている。この検知管４０の材料としては、例えば、上記先軸３０と同様の材料により構成することができる。なお、検知管４０の内周面には、フッ素樹脂やシリコーン樹脂等のコート処理を施し、この処理により、検知管４０の表面張力がインキの表面張力よりも小さくしてもよいものである。
この検知管４０は、上記円筒形の他、例えば、楕円形の筒形、三角形の筒形、四角形の筒形、多角形の筒形、星形の筒形等に形成することができる。
また、この検知管４０の流路断面積は、８×１０-2〜８０ｍｍ2の範囲が好ましい。
【００１９】
中継芯５０は、図１に示すように、所定の材料を使用して略円柱形に形成され、その先端側は検知管４０の後端側に嵌入支持され、後端側は、インキ吸蔵体１０の先端部に嵌入される。これにより、インキ吸蔵体１０のインキをペン芯６０に検知管４０を介し供給するように機能する構成となっている。
【００２０】
中継芯５０は、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリエーテル系樹脂、ポリフェニレン系樹脂、フェルト等の繊維を使用して束体に形成される。またこれ以外にも、スポンジ、樹脂粒子、焼結体の多孔体を使用して形成することができる。
【００２１】
中継芯５０は、インキ吸蔵体１０の全長の５％以上、好ましくは１０％以上、より好ましくは２０％〜１００％、さらに好ましくは５０％〜１００％の長さとされる。これは、中継芯５０の長さがインキ吸蔵体１０全長の５％未満の場合には、従来の中綿式筆記具と同レベルのインキ消費率になるおそれがあるからである。
また、中継芯５０には、検知管４０に嵌入された際にシール性の確保（気泡混入防止）及び位置決めするための環状凹部５１が形成されており、この環状凹部５１は検知管４０の内部に形成された嵌合嵌合凸部４１に嵌合する構造となっている。
【００２２】
更に、中継芯５０の断面積は、インキ吸蔵体の断面積の１％〜９０％であることが好ましい。
また、中継芯５０の毛細管力は、インキ吸蔵体１０の毛細管力よりも大きいことが望ましい。好ましくは、中継芯５０は、内外二層構造に構成され、外層部の毛細管力が内層部の毛細管力よりも大きいことが望ましい。
【００２３】
ペン芯６０は、図１に示すように、所定の材料を使用して先端の丸まった略円柱形に形成され、検知管４０の反インキ吸蔵体１０側端部に嵌入支持されて先軸３０の先端部となる小径部３１から露出する。このペン芯６０は、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリエーテル系樹脂、ポリフェニレン系樹脂、フェルト等の繊維を使用して束体に形成される。またこれ以外にも、スポンジ、樹脂粒子、焼結体の多孔体を使用して適宜形成される。
【００２４】
ペン芯６０は、その周面に溝が周方向に適宜切り欠かれ、最大幅部６１が検知管４０に嵌入される。このようなペン芯６０は、中継芯５０に空気置換用の隙間である検知空間４２をおいて対向するとともに、検知管４０や中継芯５０と共に一列に並んで一体化され、検知空間４２のインキをペン芯６０に供給する構成となっている。
また、ペン芯６０には、検知管４０に嵌入された際にシール性の確保（気泡混入の防止）及び位置決めするための環状凹部６１が形成されており、この環状凹部６１は検知管４０の内部に形成された嵌合嵌合凸部４３に嵌合する構造となっている。
【００２５】
衝撃吸収手段７０は、図１及び２に示すように、ペン芯６０の先端部に嵌入により配置した衝撃吸収Ｏリング７１と、検知管４０の先端面に形成した凸型のＯリング接触部４４と、先軸３０の先端側に形成した断面Ｌ型のＯリング受け部３４とを有し、検知管４０を先軸３０の挿入した際に上記衝撃吸収Ｏリング７１はＯリング接触部４４とＯリング受け部３４とにより保持されると共に、検知管４０の先端面と先軸３０との間に衝撃吸収空間７２を有する構成となっている。
また、ペン芯６０は、衝撃吸収Ｏリング７１を嵌入により位置決めされるように環状凹部６２が形成されている。
【００２６】
衝撃吸収Ｏリング７１は、キャップを下向き等にして落下した場合の落下による衝撃力を緩和し、ペン芯抜けによる検知管への気泡の混入、筆記不良を防止する機能、並びに、気密性（シール性）を確保する機能を有するものであり、落下による衝撃力を更に緩和する点から、好ましくは、衝撃吸収Ｏリング７１の硬度がＪＩＳ  Ａ硬度で５０〜９０°となるものが望ましい。
この硬度は、筆記具の重量等により変動するものであり、キャップ部材を含む筆記具の重量が２０ｇ未満の場合は、５０〜９０°であり、２０ｇ以上３０ｇ未満の場合は、７０〜９０°であるものが望ましい。
この硬度が各重量未満の場合（重量２０ｇ未満では５０°未満、重量２０ｇ以上３０ｇ未満では７０°未満）であると、落下衝撃を緩和できない場合があり、一方、硬度が９０°を越える場合は、組み立て性、具体的には、ペン芯６０への装着作業性が悪くなり、好ましくない。
また、衝撃吸収Ｏリング７１の大きさ（内周長さ）は、ペン芯６０の外周長と同じ又は若干短く、図３に示すように、その直径（線径）Ｒは筆記具の重量等により変動するものであるが、好ましくは、０．７〜２．０ｍｍとすることが望ましい。
【００２７】
衝撃吸収Ｏリング７１としては、好ましくは、上記硬度範囲となるものであれば、特に限定されないが、例えば、上記硬度範囲となるエチレンプロピレンゴム（ＥＰＤＭ）、ブチルゴム(ＩＩＲ)、シリコーンゴム（Ｑ）、フッ素ゴム（ＦＫＭ）、クロロプレンゴム（ＣＲ）、アクロロニトリルブタジエンゴム（ＮＢＲ）、ウレタンゴム（Ｕ）、クロロスルホン化ポリエチレンゴム（ＣＳＭ）、エピクロロヒドリンゴム、多硫化ゴム、オレフィン系熱可塑性エラストマー、その他上記各ゴム同士のブレンド品、上記各ゴムと樹脂材とのブレンド品などが挙げられる。
【００２８】
また、上記衝撃吸収空間７２の長手方向の長さｔは、キャップを下向き等にして落下した場合の落下による衝撃力を緩和する空間部の長手方向の長さ、具体的には、落下により衝撃吸収Ｏリング７１がたわみ検知管４０端面が先軸３０の面にあたるまでの距離であり、この距離は筆記具の重量等により変動するものであるが、好ましくは、０．１ｍｍ以上とすることが望ましい。
この距離ｔは、キャップ部材を含む筆記具の重量が２０ｇ未満の場合は、０．１ｍｍ以上とすることが好ましく、２０ｇ以上３０ｇ未満の場合は、０．２ｍｍ以上であるものが望ましい。
この距離ｔが各重量未満の場合（重量２０ｇ未満では０．１ｍｍ未満、重量２０ｇ以上３０ｇ未満では０．２ｍｍ未満）であると、落下衝撃を緩和できない場合がある。
【００２９】
上記衝撃吸収Ｏリング７１、衝撃吸収空間７２の距離ｔについて更に詳述すれば、例えば、筆記具の重量（キャップ部材含む全量２９ｇ）をペン芯を下向きにして高さ１．５ｍｍからコンクリート上に落下させた場合、理論上約１５７（ｇ・ｍ／ｓ）の力積がかかることとなる。この場合、ペン芯、検知管を含めたリフィールが慣性の法則で抜ける方向に力がかかる。そのとき、衝撃吸収Ｏリング７１はダンパーの役目となり該衝撃吸収Ｏリング７１がたわむ距離（ｔ）分はペン芯抜けの力がかからない。力積が衝撃吸収Ｏリング７１のたわみを超えると、ペン芯抜け方向に力がかかることとなる。従って、衝撃吸収Ｏリング７１の硬度は、たわみにくい硬度が良好となるものであるが、硬度が９０°を超えるとペン芯６０への装着作業性が悪くなる傾向となる。一方、硬度を低くすれば、その分距離ｔを長く取る必要が生じ、衝撃吸収Ｏリング７１の線径（Ｒ）を太くする、また、先端外径の拡大などの問題が生じることとなるので、上記硬度範囲の衝撃吸収Ｏリング７１、衝撃吸収空間７２の距離ｔが上記範囲とするものが望ましいものとなる。
本発明において、衝撃吸収手段７０は、好ましくは、上記硬度範囲の衝撃吸収Ｏリング７１、衝撃吸収空間７２の距離ｔが上記範囲とすることにより、ペン芯６０を下向き等にして落下した場合の落下による衝撃力を更に緩和し、並びに、更なる気密性（シール性）を確保するものとなる。
なお、衝撃吸収Ｏリング７１は、Ｏリング以外の異形ゴムリングを採用した場合は、組み立て性（ペン芯への装着性）の悪化を招くこととなる。
【００３０】
このように構成される筆記具Ａによれば、インキは、インキ吸蔵体１０から中継芯５０、及び検知管４０を経由してペン芯６０に浸透し、このペン芯６０に対する浸透により筆記が可能になる。そして、長期に亘る筆記により、インキが減少して終了する場合には、視認性を有する検知管４０の検知空間４２をインキが通過しなくなるので、インキの終了サインを視覚的に簡単明瞭に検知することができる。
【００３１】
また、この筆記具Ａによれば、検知管４０の検知空間４２におけるインキの有無に基づき、インキの終了サインを視覚的に正確に把握することができる。したがって、例えペン芯６０が乾燥してかすれた場合でも、インキの終了サインが誤って検知されることがなく、これを通じて筆記具の長期使用や利便性等を図ることができる。
なお、インキ消費に伴う空気置換は、ペン芯６０より通じる空気孔を通して、後軸２０内側の空気通路を通して中綿端面部に通じることにより行われるものである。また、検知管４０とインキ吸蔵体１０の接合している側のインキ吸蔵体１０端面が外気に対して閉じており、ペン先となるペン芯６０の先軸３０に嵌入する部分には上記衝撃吸収Ｏリング７１を介して嵌入していることにより、検知管３０は外気に対して閉じている構造となっている。
【００３２】
また、本発明では、筆記具のペン芯を下向きにした落下衝撃、特に筆記具を太字仕様とした場合等の筆記具の重量が重い場合の落下衝撃に対しても、衝撃吸収リング７１及び衝撃吸収空間７２を有する衝撃吸収手段７０により、落下衝撃が確実に緩和されることとなり、検知管４０に対する致命的な気泡の混入を抑制防止することができるものとなる。
更に、別部品である検知管４０、中継芯５０、及びペン芯６０を一体構造に組み立てて一体化するので、検知管４０に気泡の混入を招くことなく容易に組み立てることができ、組立性や製造性等が著しく向上するものとなる。
【００３３】
本発明の筆記具は、上記実施形態に限定されるものではなく、本発明の技術思想の範囲内で種々の態様に変更することができる。
例えば、上記実施形態において、ホワイトボード用のマーカーの筆記具について説明したが、ペン芯６０をボールペン型チップ、筆ペン用ペン芯等に代えることにより、ボールペン、筆ペン、サインペン等に好適に適用することができ、更に、インキを塗布液、化粧液に代え、ペン先を塗布部材に代えることにより、塗布具に適用することができる。
また、後軸２０の拡径内周面２２と保持部材２５の縮径内周面２８の間にテーパ形の傾斜段差面２９を形成したり、また、後軸２０の拡径内周面２２と保持部材２５の縮径内周面２８の間に区画形成される段差面に弾性の緩衝体を介在させることにより、更に落下衝撃性能を向上させてもよいものである。
【実施例】
【００３４】
次に、本発明の実施例について更に説明するが、本発明は下記実施例に限定されるものではない。
【００３５】
〔試験例、図１及び図２準拠、ホワイトボード用マーカー〕
下記構成のインキ吸蔵体、先軸、後軸、保持部材、中継芯、検知管、ペン先（ペン芯）、キャップ部材、衝撃吸収Ｏリング、インキ組成を用いて図１及び図２に準拠するホワイトボード用マーカーを作製した。
【００３６】
（１）インキ吸蔵体
ポリエチレンテレフタレート（ＰＥＴ）製の中綿から構成（気孔率８０％）、直径１２ｍｍ、長さ（Ｌ）６５ｍｍ
（２）先軸
ポリプロピレン製（全光線透過率約８５％）、大径部の長さ１０ｍｍ、全長３６ｍｍ
（３）後軸
ポリプロピレン製（非視認性）、全長９０ｍｍ、内径約１５ｍｍ
（４）保持部材
ポリプリピレン製（非視認性）、全長４０ｍｍ
（５）中継芯
ＰＥＴ製から構成（気孔率６０％）、直径２．９ｍｍ、長さ２２．５ｍｍ、後端部分がインキ吸蔵体１０に嵌入する長さ（Ｌ１）９．５ｍｍ
【００３７】
（６）検知管
ポリプロピレン製（全光線透過率約８５％）、長さ３６ｍｍ、インキ流路内体積約８９ｍｍ3
（７）ペン先（ペン芯）
アクリル繊維のスライバー芯から構成（気孔率５５％）、長さ１５ｍｍ、最大外径    ｍｍ
（８）キャップ部材
ポリプロピレン製（非視認性）、全長３０ｍｍ
（９）衝撃吸収Ｏリング
ＮＢＲ製、外周長４ｍｍ、直径Ｒ１ｍｍ，ＪＩＳＡ硬度各硬度（変動）
【００３８】
（１０）インキ組成（ホワイトボードマーカー用インキ組成物、全量１００重量％）
カーボンブラック  Ｍ−８００                              ４．９重量％
デンカブチラール  ＃―３０００−４                        ４．９重量％
カルボキシル化ポリオキシエチレンラウリルエーテルの
モノエタノールアミン塩                                    ０．１重量％
ポリブチレングリコールジステアレート                    １１．７重量％
エチルアルコール                                        ６３．７重量％
ｎ−プロピルアルコール                                  １４．７重量％
インキの表面張力（２５℃）２２ｍＮ／ｍ、インキの粘度係数（２５℃）５．５ｍＰａ・ｓ、インキ吸蔵体への含浸量４ｇ
【００３９】
上記構成の部材で図１及び図２に準拠すると共に、下記表１及び表２に示す硬度が５０〜９０℃の衝撃吸収Ｏリングと、衝撃吸収空間の距離ｔが０．１０ｍｍ、０．１５ｍｍ、０．５０ｍｍとの組み合わせからなる太字仕様のマーカー（全量１５ｇ、２５ｇ）を作製した。
また、上記構成の部材で図１及び図２に準拠すると共に、衝撃吸収Ｏリングを使用せず、衝撃吸収空間の距離ｔが０ｍｍとなる太字仕様のマーカー（全量１５ｇ、２５ｇ）を作製した。
【００４０】
得られた各マーカー（各２０本）について、キャップ部材を下向きにして高さ１．５ｍからコンクリート上に落下させた後、下記評価基準で気泡発生の有無を評価した。
これらの結果を下記表１及び表２に示す。
【００４１】
（気泡発生の有無の評価方法）
下記評価基準で肉眼で官能評価した。
評価基準：
◎：気泡発生なし。
○：１割未満の気泡発生
△：１割以上２割未満の気泡発生
×：２割以上の気泡発生
【００４２】
【表１】
2007021842.tif 000003
【００４３】
【表２】
2007021842.tif 000004
【００４４】
上記表１及び表２の結果から明らかなように、衝撃吸収ＯリングのＪＩＳ  Ａ硬度が５０〜９０°で、衝撃吸収空間の長手方向の長さが少なくとも０．１ｍｍ以上であると、ペン芯を下向き落下に対してもその落下衝撃力が緩和され、ペン芯抜けによる検知管への気泡の混入もなく、筆記不良を防止することができ、インキの終了サインを正確に検知することができることが判明した。
【図面の簡単な説明】
【００４５】
【図１】本発明に係る筆記具の実施形態を示す断面説明図である。
【図２】本発明に係る筆記具の衝撃吸収手段を説明する要部部分断面説明図である。
【図３】本発明に係る筆記具に用いる衝撃吸収Ｏリングの断面説明図である。
【図４】従来の筆記具の形態を示す部分断面説明図である。
【符号の説明】
【００４６】
１０  インキ吸蔵体
２０  後軸
３０  先軸
４０  検知管
５０  中継芯
６０  ペン芯
７０  衝撃吸収手段
７１  衝撃吸収Ｏリング
７２  衝撃吸収空間
【図１】
2007021842.tif 000005
【図２】
2007021842.tif 000006
【図３】
2007021842.tif 000007
【図４】
2007021842.tif 000008